(57)【要約】【課題】フロントの傾斜角度だけ調整するメガネに比べて、フロントの傾斜角度が調整できるとともに、テンプルの開き角度が調整できるアイウエアを提供する。【解決手段】フロントと、前記フロントに連結し、当該フロントと挟む角度が最も小さい折畳位置から当該フロントと挟む角度が最も大きい開き位置までの範囲において回転可能なテンプルと、を備え、前記テンプルまたは／および前記フロントに、当該フロントまたは／および当該テンプルの姿勢を調整する変形機構が設けられており、前記変形機構は、少なくとも一つの、前記フロントの上下方向の成分を有する方向に変形することで前記姿勢を調整する第１変形部と、少なくとも一つの、前記開き位置において、前記フロントの左右方向の成分を有する方向に変形することで前記姿勢を調整する第２変形部とを有する。【選択図】図３
2020008654.tif 000002
【特許請求の範囲】
【請求項１】
フロントと、
前記フロントに連結し、当該フロントと挟む角度が最も小さい折畳位置から当該フロントと挟む角度が最も大きい開き位置までの範囲において回転可能なテンプルと、
を備え、
前記テンプルまたは／および前記フロントに、当該フロントまたは／および当該テンプルの姿勢を調整する変形機構が設けられており、
前記変形機構は、
少なくとも一つの、前記フロントの上下方向の成分を有する方向に変形することで前記姿勢を調整する第１変形部と、
少なくとも一つの、前記開き位置において、前記フロントの左右方向の成分を有する方向に変形することで前記姿勢を調整する第２変形部と
を有することを特徴とするアイウエア。
【請求項２】
前記第１変形部は、塑性変形することによって前記姿勢を調整し、
前記第２変形部は、弾性変形することによって前記姿勢を調整することを特徴とする請求項１に記載のアイウエア。
【請求項３】
前記第１変形部は、前記フロントの前記上下方向の成分を有する方向を板厚方向とする薄い板状部材であり、
前記第２変形部は、前記フロントの前記左右方向の成分を有する方向を板厚方向とする薄い板状部材であり、
前記第１変形部および前記第２変形部は、それぞれの長手方向に並べるように一体に形成されていることを特徴とする請求項１または２に記載のアイウエア。
【請求項４】
前記第１変形部は、前記第２変形部よりも前記テンプルの回転中心側に形成されていることを特徴とする請求項３に記載のアイウエア。
【請求項５】
前記第２変形部は、バネ部材であり、当該バネ部材が弾性変形することにより前記テンプルが前記開き位置に位置する際の開き角度を大きくすることを特徴とする請求項２乃至４の何れか１項に記載のアイウエア。
【請求項６】
前記第１変形部および前記第２変形部は、少なくとも一種類の金属によって形成されていることを特徴とする請求項５に記載のアイウエア。
【請求項７】
前記テンプルおよび前記フロントを連結する丁番をさらに有し、
前記丁番の前記テンプル側の丁番部分は、前記第１変形部および前記第２変形部と一体に形成されていることを特徴とする請求項６に記載のアイウエア。
【請求項８】
前記変形機構は、前記テンプルに設けられていることを特徴とする請求項７に記載のアイウエア。
【請求項９】
前記変形機構は、前記テンプルと一体に形成されていることを特徴とする請求項８に記載のアイウエア。
【請求項１０】
フロントを備えるアイウエアに使用されるテンプルであって、
前記テンプルを前記アイウエアに取り付けた場合の前記フロントの上下方向に対応する第１方向と、前記フロントの左右方向に対応する第２方向との、異なる二つの方向に当該テンプルを変形させる変形機構を備えることを特徴とするテンプル。
【請求項１１】
前記第１方向への前記テンプルの変形は塑性変形であり、
前記第２方向への前記テンプルの変形は弾性変形であることを特徴とする請求項１０に記載のテンプル。
【請求項１２】
前記変形機構は、前記テンプルの長手方向の一端側に形成されており、
前記第１方向を板厚方向とし、当該第１方向に変形可能な薄い板状部材である第１変形部と、
前記第２方向を板厚方向とし、当該第２方向に変形可能な薄い板状部材である第２変形部とを有することを特徴とする請求項１１に記載のテンプル。
【請求項１３】
前記第１変形部は、前記第２変形部よりも前記テンプルの端部の近くに形成されていることを特徴とする請求項１２に記載のテンプル。
【請求項１４】
前記第１変形部および前記第２変形部と一体に形成され、かつ、当該第１変形部よりも前記長手方向の前記一端側に形成されている連結部をさらに有することを特徴とする請求項１３に記載のテンプル。
【発明の詳細な説明】
【技術分野】
【０００１】
本発明は、アイウエアおよびテンプルに関する。
【背景技術】
【０００２】
特許文献１には、メガネのフロントの傾斜角度を調整して、レンズの眼球に対する傾斜角度や角膜頂点間距離を調整するために、リム１のヨロイ智２とテンプル４とを折畳み可能に連結して成る眼鏡フレームにおいて、前記ヨロイ智２は上下方向に厚みの薄い１枚の金属製板状ブラケットから成り、この薄板ブラケットの両端部近傍には止孔２１・２２を上下方向にそれぞれ穿設してこれら止孔２１・２２に各々止軸Ｓを挿着することにより、リム１の合せ端部１１・１２同士の連結およびヨロイ智２とテンプル４とのヒンジ連結を可能とすると共に、前記金属製薄板ブラケットを上下方向に塑性変形させてリム１の傾斜角度を微調整可能としたことを特徴とする薄型ヨロイ智を有する眼鏡フレームが開示されている。
【先行技術文献】
【特許文献】
【０００３】
【特許文献１】特開平９−５６７８号公報
【発明の概要】
【発明が解決しようとする課題】
【０００４】
しかしながら、上下方向の板厚が薄い薄板ヨロイでは、左右方向の厚みが厚い。このため、ヨロイが左右方向に変形し難くなる。そして、ヨロイの左右方向の調整によるヨロイに連結されているテンプルの開き角度の調整ができなくなってしまう。よって、様々な使用者の異なる頭部の幅サイズに合わせてテンプルの開き角度を調整することができず、メガネの着用感が悪くなる問題が生じてしまう。
【０００５】
そこで、本発明は、フロントの傾斜角度だけを調整するメガネに比べて、フロントの傾斜角度が調整できるとともに、テンプルの開き角度が調整できるアイウエアを提供することを目的とする。
【課題を解決するための手段】
【０００６】
本発明の一態様におけるアイウエアは、フロントと、前記フロントに連結し、当該フロントと挟む角度が最も小さい折畳位置から当該フロントと挟む角度が最も大きい開き位置までの範囲において回転可能なテンプルと、を備え、前記テンプルまたは／および前記フロントに、当該フロントまたは／および当該テンプルの姿勢を調整する変形機構が設けられており、前記変形機構は、少なくとも一つの、前記フロントの上下方向の成分を有する方向に変形することで前記姿勢を調整する第１変形部と、少なくとも一つの、前記開き位置において、前記フロントの左右方向の成分を有する方向に変形することで前記姿勢を調整する第２変形部とを有する。
【０００７】
また、前記第１変形部は、塑性変形することによって前記姿勢を調整し、前記第２変形部は、弾性変形することによって前記姿勢を調整してもよい。
【０００８】
また、前記第１変形部は、前記フロントの前記上下方向の成分を有する方向を板厚方向とする薄い板状部材であり、前記第２変形部は、前記フロントの前記左右方向の成分を有する方向を板厚方向とする薄い板状部材であり、前記第１変形部および前記第２変形部は、それぞれの長手方向に並べるように一体に形成されてもよい。
【０００９】
また、前記第１変形部は、前記第２変形部よりも前記テンプルの回転中心側に形成されてもよい。
【００１０】
また、前記第２変形部は、バネ部材であり、当該バネ部材が弾性変形することにより前記テンプルが前記開き位置に位置する際の開き角度を大きくしてもよい。
【００１１】
また、前記第１変形部および前記第２変形部は、少なくとも一種類の金属によって形成されてもよい。
【００１２】
また、前記テンプルおよび前記フロントを連結する丁番をさらに有し、前記丁番の前記テンプル側の丁番部分は、前記第１変形部および前記第２変形部と一体に形成されてもよい。
【００１３】
また、前記変形機構は、前記テンプルに設けられてもよい。
【００１４】
また、前記変形機構は、前記テンプルと一体に形成されてもよい。
【００１５】
本発明の一態様におけるテンプルは、フロントを備えるアイウエアに使用されるテンプルであって、前記テンプルを前記アイウエアに取り付けた場合の前記フロントの上下方向に対応する第１方向と、前記フロントの左右方向に対応する第２方向との、異なる二つの方向に当該テンプルを変形させる変形機構を備える。
【００１６】
また、前記第１方向への前記テンプルの変形は塑性変形であり、前記第２方向への前記テンプルの変形は弾性変形であってもよい。
【００１７】
また、前記変形機構は、前記テンプルの長手方向の一端側に形成されており、前記第１方向を板厚方向とし、当該第１方向に変形可能な薄い板状部材である第１変形部と、前記第２方向を板厚方向とし、当該第２方向に変形可能な薄い板状部材である第２変形部とを有してもよい。
【００１８】
また、前記第１変形部は、前記第２変形部よりも前記テンプルの端部の近くに形成されてもよい。
【００１９】
また、前記第１変形部および前記第２変形部と一体に形成され、かつ、当該第１変形部よりも前記長手方向の前記一端側に形成されている連結部をさらに有してもよい。
【発明の効果】
【００２０】
本発明によれば、アイウエアのフロントの傾斜角度が調整できるとともに、テンプルの開き角度が調整できる。
【図面の簡単な説明】
【００２１】
【図１】本実施の形態が適用されるアイウエアの全体構成図である。
【図２】本実施の形態が適用されるフロントの構成を説明するための図である。
【図３】本実施の形態が適用されるテンプルの全体構成を説明するための図である。
【図４】（ａ）、（ｂ）は、本実施の形態が適用されるテンプルの構成を詳細に説明するための図である。
【図５】本実施の形態が適用される変形機構の構成を説明するための図である。
【図６】本実施の形態が適用される第１変形部による調整を説明するための図である。
【図７】本実施の形態が適用される第２変形部による調整の一例を説明するための図である。
【図８】本実施の形態が適用される第２変形部による調整の他の一例を説明するための図である。
【発明を実施するための形態】
【００２２】
以下、図面を参照して本発明の実施の形態を詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００２３】
［実施例］
＜メガネ１００＞
まず、図１および図２を用いて、本実施の形態が適用されるメガネ１００の全体構造について説明する。図１は、本実施の形態が適用されるメガネ１００の全体構成図であり、図２は、本実施の形態が適用されるフロント１４０の構成を説明するための斜視図である。
【００２４】
図１に示すように、メガネ１００は、アイウエアの一例であり、一対のレンズ１１０と、フレーム１２０とを備えている。なお、本実施の形態では、レンズ１１０を一対のものとして説明するが、必ずしも一対である必要がない。また、本実施の形態では、レンズ１１０をメガネ１００の構成として説明するが、レンズ１１０自体は、必ずしもメガネ１００に必要な構成ではない。
【００２５】
フレーム１２０は、例えば、フロント１４０と、フロント１４０の左右側の両端に回転可能に連結されている一対のテンプル１８０と、一対のテンプル１８０の後方側に取り付けられている一対のモダン１６０とを備えている。また、フレーム１２０は、一対のレンズ１１０を保持するとともに、使用者の目および頭部に対してレンズ１１０およびフロント１４０を適切な姿勢に保持する。
【００２６】
フロント１４０は、一対のレンズ１１０を支持する。テンプル１８０は、モダン１６０とともに使用者の側頭部を押圧して、この部位を挟持する。また、モダン１６０は、使用者の耳の上部および後方に接触して、メガネ１００の落下を防止する。なお、モダン１６０は、必ずしもメガネ１００に必要な構成ではない。
【００２７】
以下の説明では、便宜上のために、図１に示すフロント１４０の長手方向を第２方向の一例である「左右方向」とする。また、メガネ１００が着用される際に、使用者から見た左側（図１の右側）を「左側」とし、使用者から見た右側（図１の左側）を「右側」とする。さらに、フロント１４０の短手方向を第１方向の一例である「上下方向」とし、フロント１４０の厚み方向を「前後方向」とする。
【００２８】
なお、本実施の形態が適用されるメガネ１００は、後述する眉間部（ブリッジ）１４２を中心として左右対称に形成されている。このため、以下の説明では、左右対称の構成について左右を区別せず、図面の何れかの一方側にある構成にのみ符号を付して説明する。
【００２９】
フロント１４０は、例えば、左右方向に沿って伸びる板状構成であり、使用者の顔面に沿うように前方に突出するように湾曲している。また、フロント１４０は、中央にある眉間部１４２と、眉間部１４２の裏面の左右両側に取り付けられている一対のノーズパッド１４４と、眉間部１４２の左右両端に形成されている一対のリム１４６と、一対のリム１４６の各端部に形成されている一対のヨロイ１４７と、一対のヨロイ１４７の裏面に取り付けられている一対の第１丁番部分１４８とを有している。
【００３０】
眉間部１４２は、フロント１４０（メガネ１００）の左部分および右部分を繋ぐ。また、眉間部１４２は、例えば、湾曲した板状部材であり、樹脂等によって形成されている。
【００３１】
ノーズパッド１４４は、使用者の鼻を両脇から挟むことでフロント１４０を支持し、このフロント１４０の使用者の目に対する高さ等を維持する。また、ノーズパッド１４４は、例えば、樹脂のパット部１４４ａおよび金属の支持部１４４ｂを有するクリングスタイプである。なお、パット部１４４ａおよび支持部１４４ｂの変形によって、フロント１４０が使用者の鼻および目に対する姿勢（例えば、角膜頂点間距離）を微調整することが可能になる。
【００３２】
リム１４６は、レンズ１１０を保持する。また、リム１４６は、例えば、レンズ１１０の形状を沿うように形成されているリング状部材であり、樹脂等によって形成されている。
ヨロイ１４７には、第１丁番部分１４８が形成されている。また、ヨロイ１４７は、例えば、湾曲した板状部材であり、樹脂等によって形成されている。
【００３３】
第１丁番部分１４８は、連結部の一例として機能し、テンプル１８０側に形成されている板状形状を有する第２丁番部分２３０と組み合わせることで、テンプル１８０をフロント１４０に対して回転可能に連結している。すなわち、第１丁番部分１４８と第２丁番部分２３０とは、丁番を構成している。
また、第１丁番部分１４８は、例えば、金属等によって形成され、上下方向から見ると約半円形状を有し、この半円形状の中央部分に上下方向に第１丁番部分１４８を貫通するねじ穴１４８ｈが形成されている。このねじ穴１４８ｈは、テンプル１８０の回転中心の一例として機能する。また、前後方向から見ると、第１丁番部分１４８の上下方向の中央部分に、第１丁番部分１４８が凹字形状になるように溝（以下「凹字状溝」とする）が形成されている。
【００３４】
この第１丁番部分１４８の凹字状溝にテンプル１８０の端部（第２丁番部分２３０）が挿入される。そして、第１丁番部分１４８は、凹字状溝の両側面１４８ａ、１４８ｂを用いてテンプル１８０を支持し、凹字状溝の底面１４８ｃ（ヨロイ１４７の裏面とほぼ平行する面）を用いてテンプル１８０の端部と接触することによってテンプル１８０の回転を停止させる。なお、第２丁番部分２３０を凹字形状とし、第１丁番部分１４８を板状形状として、丁番を構成してもよい。
【００３５】
テンプル１８０は、側頭部にフィットするように湾曲しているＬ字状の部材である。また、テンプル１８０は、フロント１４０と挟む角度が最も小さい折畳位置からこのフロント１４０と挟む角度が最も大きい開き位置までの範囲において回転可能に連結されている。
【００３６】
なお、以下では、テンプル１８０におけるＬ字の長手方向を単に「長手方向」とし、長手方向と交差する断面方向を単に「断面方向」とする。また、テンプル１８０とフロント１４０と挟む角度が最も小さい位置を「折畳位置」とし、テンプル１８０の回転可能範囲の最大位置、すなわち、回転可能範囲においてテンプル１８０とフロント１４０と挟む角度が最も大きい位置を「開き位置」とする。また、テンプル１８０とフロント１４０と挟む角度を「開き角度」とする。さらに、左右方向の中央側に向かう側を「内側」とし、その逆を「外側」とする。
【００３７】
＜テンプル１８０＞
続いて、図３乃至図５を用いて、テンプル１８０の構成について詳細に説明する。
図３は、本実施の形態が適用されるテンプル１８０の全体構成を説明するための図である。また、図４は、本実施の形態が適用されるテンプル１８０の構成を詳細に説明するための図であり、４（ａ）は、テンプル１８０の側面図であり、図４（ｂ）は、テンプル１８０の平面図である。さらに、図５は、本実施の形態が適用されるテンプル芯材２００の構成を説明するための図である。なお、以下の説明では、便宜上のため、テンプル１８０を開き位置に位置するものとして説明する。
【００３８】
本実施の形態が適用されるテンプル１８０は、テンプルカバー１９０と、一部がこのテンプルカバー１９０に挿し込まれているテンプル芯材２００と、断面方向からテンプルカバー１９０およびテンプル芯材２００にねじ込んでいるねじ１９５とを備えている。
【００３９】
テンプルカバー１９０は、使用者の顔面（頭部）の両側および両耳と接触し、使用者からの左右方向の力や上下方向の力を受けるとともに、受けた力を一体に連結されているテンプル芯材２００に伝達する。テンプル芯材２００は、フロント１４０およびテンプル１８０の相対的姿勢を調整し、変形機構の一例として機能する。また、ねじ１９５は、テンプル芯材２００をテンプルカバー１９０に一体に連結させている。このテンプルカバー１９０およびねじ１９５は、必ずしもメガネ１００に必要な構成ではない。
【００４０】
テンプルカバー１９０は、図３および図４の（ａ），（ｂ）に示すように、ねじ１９５を境界に、ねじ１９５よりも前方側に形成されている先端部１９０ａと、ねじ１９５よりも後方側に形成されている後端部１９０ｂとを有している。また、先端部１９０ａには第１切欠き１９１と、第２切欠き１９２とが形成されており、後端部１９０ｂには装着穴１９６が形成されている。
【００４１】
先端部１９０ａは、メガネ１００が装着される際に、テンプル芯材２００の一部を隠す飾りの効果を有する。この先端部１９０ａにおいては、テンプル芯材２００の一部、具体的には、テンプル芯材２００におけるねじ１９５よりも前方側の部分（後述する第２丁番部分２３０、第１変形部２１０および第２変形部２２０）が挿し込まれていない。よって、テンプル芯材２００におけるねじ１９５よりも前方側の部分は、先端部１９０ａに対して、揺動して変形可能に形成されている。言い換えれば、先端部１９０ａは、テンプル芯材２００を保持する機能を有していない。一方、メガネ１００が着用される際に、先端部１９０ａは、左右方向の外側から内側にあるテンプル芯材２００の一部を隠す機能を有する。
【００４２】
第１切欠き１９１は、後述するテンプル芯材２００の上下方向の変形を妨げないように形成されている。また、第１切欠き１９１は、図３および図４（ｂ）に示すように、先端部１９０ａの最も前方の内側に形成されている斜面である。この第１切欠き１９１によって、テンプル芯材２００の前方側の一部（後述する第１変形部２１０）が先端部１９０ａに覆われなくなり、その結果、テンプル芯材２００の前方側の一部の上下方向に揺動して変形できる範囲が確保されている。
【００４３】
第２切欠き１９２は、後述するテンプル芯材２００の左右方向の変形を妨げないために形成されている。この第２切欠き１９２によって、先端部１９０ａの断面形状は、凹字状に形成されている。この第２切欠き１９２によって、テンプル芯材２００の前方側の他の一部（後述する第２変形部２２０）は、先端部１９０ａ（凹字状の深さ方向）に対して揺動可能となり、すなわち、テンプル芯材２００の前方側の他の一部の左右方向に揺動して変形できる範囲が確保されている。
【００４４】
後端部１９０ｂは、テンプル芯材２００を保持する。また、後端部１９０ｂは、中央部分に装着穴１９６が形成されており、パイプ形状を有している。この後端部１９０ｂの装着穴１９６に、テンプル芯材２００の他の部分、具体的には、テンプル芯材２００におけるねじ１９５よりも後方側の部分（後述する芯２４０）が完全に挿し込まれている。また、ねじ１９５によって、テンプル芯材２００におけるねじ１９５よりも後方側の部分（芯２４０）は、この後端部１９０ｂと一体に固定されている。よって、後端部１９０ｂは、受けた力をテンプル芯材２００におけるねじ１９５よりも後方側の部分（芯２４０）に伝達することができる。すなわち、後端部１９０ｂとテンプル芯材２００におけるねじ１９５よりも後方側の部分とは、一緒に移動（揺動）する。
【００４５】
＜テンプル芯材２００＞
次に、本実施の形態が適用されるテンプル芯材２００について説明する。
メガネ１００の着用のフィット感を向上するために、フロント１４０の姿勢の調整にかかる上下方向およびテンプル１８０の姿勢の調整にかかる左右方向という二つの方向でメガネ１００の姿勢を調整することが考えられる。
しかしながら、このような二つの交差する方向に調整するために、例えば、上下方向の姿勢の調整を行う専用の変形機構と、左右方向の姿勢の調整を行うほかの専用の変形機構とを別体に設ける場合、変形機構が複雑になってしまうという問題が生じる。
そこで、本実施の形態が適用される変形機構の一例として機能するテンプル芯材２００は、後述するような一つの部品により、上下方向のフロント１４０の傾斜角度の調整および左右方向のテンプル１８０にかかる開き角度の調整を行うことができるように構成することで、簡易な構造で二つの方向の調整を行うことができる。
【００４６】
まず、図３乃至図５を用いて、テンプル芯材２００の構成について詳細に説明する。図５は、本実施の形態が適用されるテンプル芯材２００の構成を説明するための図である。なお、以下の説明では、便宜上のため、特別な説明がない場合には、テンプル芯材２００を開き位置に位置するものとして説明する。また、メガネ１００が着用される場合における使用者の頭部の関係の説明において、テンプルカバー１９０とテンプル芯材２００と分けずにテンプル１８０として説明する。
【００４７】
本実施の形態が適用されるテンプル芯材２００は、変形機構の一例とする機能を有し、例えば、一種類の高強度の金属、βチタン（ベータチタン）等によって構成されている。また、前後方向の前方から後方に向かって、テンプル芯材２２０は、第２丁番部分２３０と、第１変形部２１０と、第２変形部２２０と、芯２４０とを順に備えている。
【００４８】
これらの第２丁番部分２３０、第１変形部２１０、第２変形部２２０および芯２４０は、一体に形成されている。すなわち、テンプル芯材２００は、第２丁番部分２３０、第１変形部２１０、第２変形部２２０および芯２４０という４つの部分からなる1つの部品である。なお、本実施の形態では、第２丁番部分２３０は、テンプル芯材２００（テンプル１８０）に形成されているが、第１丁番部分１４８とともにフロント１４０側に形成されてもよい。
【００４９】
第２丁番部分２３０は、連結部の一例として機能し、図４（ａ）および図４（ｂ）に示すように、板状形状を有する部分であり、中央部分に第１丁番部分１４８と連結するためのねじ穴２３０ｈが形成されている。このねじ穴２３０ｈは、テンプル１８０の回転中心の一例として機能する。また、第２丁番部分２３０は、図４（ｂ）に示すように、上方から下方に向かってみると、内側（図４（ｂ）の下方側）に形成されている湾曲面２３１と、前方側（図４（ｂ）の右側）に形成されている平面２３２とを備えている。
【００５０】
そして、第２丁番部分２３０は、フロント１４０に形成されている第１丁番部分１４８の間に挿し込まれて、テンプル１８０の回転中心の一例であるねじ（図示せず）によって両者が連結されている。なお、第２丁番部分２３０は、ねじを使用するものに限られず、例えばバネを使用するものであってもよい。この第２丁番部分２３０と第１丁番部分１４８との連結によって、テンプル１８０は折畳位置から開き位置までの範囲において回転可能に構成されている。
【００５１】
また、折畳位置から開き位置に入る前の各位置、すなわち、開き位置が除かれた回転範囲の各位置において、第２丁番部分２３０の湾曲面２３１が第１丁番部分１４８の凹字状溝の底面１４８ｃに向かうように形成されている。一方、開き位置において、平面２３２は底面１４８ｃと接触する。このように、テンプル１８０が回転され続けると、平面２３２が第１丁番部分１４８の底面１４８ｃと接触することによって、テンプル１８０の回転が停止される。すなわち、この平面部２３２は、テンプル１８０の回転による開き位置（開き位置における開き角度）を定め、テンプル１８０の回転ブレーキとして機能する。
【００５２】
第１変形部２１０は、第２丁番部分２３０から後方に向かって展延するように形成され、上方から下方に向かってみると略三角形状を有する板状の部分（以下、「三角板部分」とする）である。この三角板部分の広い側が第２丁番部分２３０に向かい、細い側が第２変形部２２０に向かっている。すなわち、第１変形部２１０は、前方側にある第２丁番部分２３０と後方側にある第２変形部２２０とを滑らかに繋げている。
【００５３】
また、第１変形部２１０は、上下方向を三角板部分の板厚方向としている。すなわち、第１変形部２１０では、上下方向の厚みが薄く、左右方向の少なくとも一部の厚みが上下方向の厚みよりも厚く形成されている。このように、第１変形部２１０は、厚みが薄く形成されており、上下方向に変形しやすくなっている。また、第１変形部２１０の上下方向の変形は、塑性変形である。この上下方向の塑性変形の詳細について後述する。
【００５４】
第２変形部２２０は、第１変形部２１０から後方に向かって展延するように形成されているバネに相当する部分（バネ部材）である。また、上方から下方に向かってみると、第２変形部２２０は、略Ｚ字状に形成されており、前方から後方に向かって、左右方向の内側に向かって湾曲しているバネ部２２１と、板状の固定部２２２とを有している。このバネ部２２１は、固定部２２２よりも左右方向の内側に形成されている。また、バネ部２２１は、前方側にあるバネ部２２１ａと、後方側にあるバネ部２２１ｂとを有している。
【００５５】
また、第２変形部２２０は、左右方向を板厚方向とし、すなわち、左右方向の厚みが薄く、上下方向の厚みが厚く形成されている。本実施の形態では、第２変形部２２０は、前方から後方に亘って板厚が厚くなっている。
なお、第１変形部２１０および第２変形部２２０の上下方向の厚みと左右方向の厚みの比率は、例えば、テンプル芯材２００の材料に応じて定めることができ、前方から後方に亘って厚みを変化させてもよいし、均一な厚みであってもよい。
【００５６】
このように、バネ部２２１ｂと固定部２２２との厚みを厚くすることによって、外力によって変形するバネ部２２１ｂの強度と、ねじ１９５がねじ込まれるねじ穴２２５のねじ部分の長さとを十分に確保することができる。また、バネ部２２１ａの厚みをより薄くすることによって、バネ部２２１ａはバネ部２２１ｂよりも変形しやすい。そして、バネ部２２１ａの変形によりバネ部２２１ａ前後方向の長さの変更が可能となる。このように、第２変形部２２０のバネ部２２１は、左右方向に変形しやすくなっている。また、第２変形部２２０の左右方向の変形は、弾性変形である。この左右方向の弾性変形の詳細について後述する。
【００５７】
芯２４０は、第２変形部２２０からさらに後方に向かって伸びるように形成されている。この芯２４０の断面は、略正方形または円形である。テンプルカバー１９０の後端部１９０ｂに形成されている装着穴１９６に挿し込まれており、ねじ１９５によってテンプルカバー１９０と一体に固定されている。
【００５８】
＜第１変形部２１０および第２変形部２２０による調整＞
続いて、図６乃至図８を用いて、本実施の形態にかかるテンプル芯材２００の第１変形部２１０および第２変形部２２０による調整について詳細に説明する。なお、以下の説明では、便宜上のために、テンプルカバー１９０が取り付けられていないものとして説明する。また、メガネ１００が着用される場合における使用者の頭部の関係の説明において、テンプルカバー１９０とテンプル芯材２００と分けずにテンプル１８０として説明する。さらに、便宜上のために、モダン１６０が取り付けられていないものとして説明する。
【００５９】
図６は、本実施の形態が適用される第１変形部２１０による調整を説明するための図である。また、図７は、本実施の形態が適用される第２変形部２２０による調整の一例を説明するための図であり、図８は、本実施の形態が適用される第２変形部２２０による調整の他の一例を説明するための図である。
【００６０】
メガネ１００は、ノーズパッド１４４（図２参照）およびテンプル１８０（テンプル芯材２００）によって、顔面に対する姿勢が調整され、適切な位置に保持されている。具体的には、ノーズパッド１４４は使用者の鼻を両脇から挟むことでフロント１４０を支持し、フロント１４０（レンズ１１０）と使用者の目（眼球）との相対的な位置関係を定める。そして、テンプル１８０は、このノーズパッド１４４によって定められた相対的な位置関係を適切に維持するように、上方から使用者の側頭部を一定の押圧力で押圧するとともに、使用者の頭部を頭部の幅方向の両側から挟持する。このように、使用者の顔面、頭部に対して、メガネ１００の上下方向の位置および左右方向の位置が定められ、適切な位置に保持される。
【００６１】
ここで、「適切な位置」とは、顔の正面（前後方向）からみると、フロント１４０（レンズ１１０）が両目に対して水平になっている位置、かつ、顔の側面（左右方向）からみると、レンズ１１０の光軸が使用者の視線とそろえる位置、すなわち、前傾角が適切な角度である位置をいう。なお、レンズの違いによってこの最適な前傾角が異なり、例えば、遠用常用メガネは５乃至１０度、近用メガネでは約１５度である。
【００６２】
しかしながら、人間の顔は完全に左右対称ではない。顔の左右側にある目や耳等の顔面器官の形状、位置等が異なり、例えば、左耳と右耳との高さが異なる場合が普通に存在している。この左耳と右耳との高低差は、人によって異なる。この両耳の高低差によって、フロント１４０の左右両端の高低差が生じてしまう。よって、着用感が悪化し、目に負担を与えるおそれがある。なお、以下では、フロント１４０の左右両端の高低差による問題を「傾斜角度問題」とする。
【００６３】
また、両耳の位置は人によって異なる。例えば、両耳が目に対して高い位置にあることも、低い位置にあることも普通に存在する。両耳の位置が高い場合、前傾角は、大きくなる。一方、両耳の位置が低い場合、前傾角は、逆方向に傾斜してしまう。よって、レンズ１１０の光軸が使用者の視線と揃わなくなり、着用感が悪化し、目に負担を与えるおそれがある。なお、以下では、フロント１４０の前傾角による問題を「前傾角問題」とし、前傾角問題を生じさせる位置を「前傾角変化位置」とする。
【００６４】
さらに、性別、体系、骨格、および年齢等によって、頭部の形状や輪郭が異なる場合も普通に存在している。例えば、人によって頭部の幅サイズは異なる。テンプル１８０にかかる開き角度が頭部のサイズに対して大きすぎると、レンズ１１０の位置のズレ、着用時のゆるみなどが生じる。一方、テンプル１８０にかかる開き角度が頭部のサイズに対して小さすぎると、テンションが側頭部にかかることによって、使用者は痛みを感じてしまう。よって、着用感が悪化し、目に負担を与えるおそれがある。なお、以下では、頭部の幅サイズによる問題を「開き角度問題」とする。
【００６５】
従って、メガネ１００を装着する際、すなわち、メガネ１００の開き位置において、各人の顔面や頭部の特徴に合わせてメガネ１００を最も適切な姿勢に調整する必要がある。
【００６６】
＜第１変形部２１０による調整＞
以下では、図６を用いて、第１変形部２１０による調整について詳細に説明する。図６に示す第１変形部２１０は、耳の位置（例えば、目に対する高さ、両耳の高低差等）を起因とする「傾斜角度問題」や「前傾角問題」を解決するための構成である。
【００６７】
ここで、上述したように、ノーズパッド１４４（図２参照）によってフロント１４０における使用者の目に対する位置が定められている。よって、フロント１４０に取り付けられている第１丁番部分１４８の位置と、この第１丁番部分１４８と連結されている第２丁番部分２３０の位置ともノーズパッド１４４によって定められている。このため、テンプル１８０と使用者の左右両耳との接触位置によって、レンズ１１０（フロント１４０）前後方向の前傾角および左右方向の傾斜角度が変化する。
このように、本実施の形態の第１変形部２１０は、自身の変形しやすい上下方向の厚みの薄い部分を用いて、テンプル１８０（テンプル芯材２００）を上方または下方に変形させることによって、テンプル１８０とフロント１４０との相対的な位置を調整して、レンズ１１０（フロント１４０）を使用者の目に対して最も適切な位置（姿勢）に調整する。
【００６８】
このような第１変形部２１０を用いて「傾斜角度問題」に対応する場合、通常、一方のテンプルの第１変形部２１０を変形して、２つのテンプルの位置を合わせるように調整すればよい。ただし、一対のテンプル１８０それぞれの第１変形部２１０を変形して姿勢を調整することも可能である。
一方、第１変形部２１０を用いて「前傾角問題」に対応する場合は、原則として、一対のテンプル１８０それぞれの第１変形部２１０を変形して、フロント１４０が適切な前傾角となるように調整する。
【００６９】
以下では、図６を用いて、一方のテンプル１８０の調整のみを基本状況として説明する。図６は、耳の位置Ａ、ＢおよびＣを例示列挙して、色々耳の位置に対して第１変形部２１０が適切な調整を行えることを説明するための図である。
【００７０】
耳の位置Ａは、目に対して、第１変形部２１０によってテンプル１８０の位置を調整しなくでも、レンズ１１０（フロント１４０）の姿勢が「適切な位置」に維持されている位置である。
【００７１】
具体的には、メガネ１００が位置Ａにある耳（図示せず）に掛けると、テンプル１８０は耳との接触によってフロント１４０の左右方向の端部（ヨロイ１４７）を持ち上げることがない。このため、「傾斜角度問題」が生じない。また、耳の位置Ａは前傾角変化位置ではないため、この位置における「前傾角問題」が生じない。
よって、耳が位置Ａにある場合では、使用者の着用感が悪くなることがないため、着用感を改善するための調整を行う必要がない。
【００７２】
一方、耳の位置Ｂ及びＣは、第１変形部２１０によってテンプル１８０の位置を調整しないと、レンズ１１０（フロント１４０）の姿勢が「適切な位置」に維持されなくなる位置である。
【００７３】
具体的には、第１変形部２１０によって調整が行われていない場合、メガネ１００を位置Ｂにある耳（図示せず）に掛けると、テンプル１８０が高い位置の耳に接触することとなり、テンプル１８０やフロント１４０の姿勢が変化してしまい、「傾斜角度問題」や「前傾角問題」が生じてしまう。よって、耳が位置Ｂにある場合は、使用者の着用感が悪化し、着用感を改善するための調整を行う必要がある。
【００７４】
また、第１変形部２１０によって調整が行われていない場合、メガネ１００を位置Ｃにある耳（図示せず）に掛けると、テンプル１８０が低い位置の耳に接触することとなり、テンプル１８０やフロント１４０の姿勢が変化してしまい、やはり「傾斜角度問題」や「前傾角問題」が生じてしまう。よって、耳が位置Ｃにある場合は、使用者の着用感が悪化し、着用感を改善するための調整を行う必要がある。
【００７５】
本実施の形態では、第１変形部２１０を用いてレンズ１１０（フロント１４０）およびテンプル１８０の姿勢の調整を行う。
具体的には、耳の位置Ｂに対して調整を行う場合は、外力を与えて、第１変形部２１０の後方側にある部分を上下方向の上方に変形する。これによって、第１変形部２１０は、第１変形部２１０の前方側にある部分により、レンズ１１０（フロント１４０）の姿勢を「適切な位置」に支持するとともに、後方側にある部分により、テンプル１８０を上方に向けて傾斜させることができ、耳の位置Ｂに適切に接触することが可能となる。
【００７６】
また、耳の位置Ｃに対して調整を行う場合は、外力を与えて、第１変形部２１０の後方側にある部分を上下方向の下方に変形する。これによって、第１変形部２１０は、第１変形部２１０の前方側にある部分により、レンズ１１０（フロント１４０）の姿勢を「適切な位置」に支持するとともに、後方側にある部分により、テンプル１８０を下方に向けて傾斜させることができ、耳の位置Ｃに適切に接触することが可能となる。
【００７７】
このように、姿勢が調整されたテンプル１８０は、メガネ１００を位置Ｂや位置Ｃにある耳に掛けても、目に対して、レンズ１１０（フロント１４０）の姿勢が「適切な位置」に維持されるようになっている。すなわち、「傾斜角度問題」および「前傾角問題」を解決することができる。
【００７８】
なお、上述した耳の位置Ｂ、Ｃのような、第１変形部による調整が必要な場合において、第１変形部２１０は塑性変形するため、テンプル１８０は、変形後の形状を維持することができる。よって、メガネ１００を着用する度に、上下方向に調整を行う必要がなくなり、着用性が向上される。
また、本実施の形態では、第１変形部２１０がフロント１４０側に配置されているため、第１変形部２１０がモダン１６０（図１参照）側に配置されている場合に比べて、第１変形部２１０の小さな変形により、テンプル１８０の耳に掛ける側を大きく移動させることができる。よって、様々位置にある耳に柔軟に対応することができ、広い範囲で調整対応することができる。
【００７９】
＜第２変形部２２０による調整＞
以下では、図７および図８を用いて、第２変形部２２０による調整について詳細に説明する。図７および図８に示す第２変形部２２０は、「開き角度問題」を解決するための構成である。
また、図７および図８は、頭部の幅サイズＷ１およびＷ３を例示列挙して、色々頭部の幅サイズに合わせて第２変形部２２０が弾性変形することでメガネ１００を使用者の頭部にフィットすることを説明するための図である。
【００８０】
図７の場合では、第２変形部２２０は、小さな頭部幅サイズＷ１を有する使用者の頭部に合わせて小さな弾性変形をし、メガネ１００をこの使用者の頭部にフィットさせる。
一方、図８の場合では、第２変形部２２０は、小さな頭部幅サイズＷ１よりも大きな頭部幅寸法Ｗ３を有する使用者の頭部に合わせて大きな弾性変形をし、メガネ１００をこの使用者の頭部にフィットさせる。
【００８１】
この第２変形部の弾性変形によって、色々な人の頭部幅サイズに合わせてメガネ１００をフィットさせることが可能となる。また、この弾性変形による調整は、メガネ１００が着用されるたびに、頭部のサイズに合わせて最適な姿勢に調整するため、着用性が向上される。
【００８２】
［変形例］
以下では、テンプル芯材２００の変形例について説明する。
本実施の形態のテンプル芯材２００は、一つの第１変形部２１０と、一つの第２変形部２２０とを備えている構成として説明したが、第１変形部２１０を二以上備える構成や、第２変形部２２０を二以上備える構成としてもよい。各変形部を二以上備えることで、変形の自由度を向上させて、細かい調整をすることが可能となる。
【００８３】
本実施の形態のテンプル芯材２００は、第１変形部２１０は、第２変形部２２０よりも回転中心の一例であるねじ穴２３０ｈ側に配置されている構成として説明したが、第１変形部２１０、第２変形部２２０の配置関係が逆になっていてもよい。
【００８４】
本実施の形態のテンプル芯材２００は、第２丁番部分２３０と、第１変形部２１０と、第２変形部２２０とがテンプル１８０（テンプル芯材２００）に配置されている構成として説明したが、これらの構成要素がフロント１４０、テンプル１８０に分散して配置されてもよく、またフロント１４０にのみ配置されてもよい。
【００８５】
本実施の形態のテンプル芯材２００は、一種類の高強度の金属、例えば、βチタン（ベータチタン）によって構成されているとして説明したが、使用状況に応じて、テンプル芯材２００を二種類以上の金属を用いて形成してもよい。例えば、第２丁番部分２３０を第１の種類の金属（例えば、チタン）によって形成し、第１変形部２１０、第２変形部２２０および芯２４０を第２の種類の金属（例えば、金）によって形成してもよい。また、テンプル芯材２００を金属以外の素材を用いて形成したり、金属と金属以外の素材とを組み合わせて形成してもよい。
【００８６】
以上、本発明について実施例及び変形例を用いて説明したが、本発明の技術的範囲は上記実施例及び変形例に記載の範囲には限定されない。上記実施例及び変形例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００８７】
１００  メガネ
１４０  フロント
１４８  第１丁番部分
１８０  テンプル
２００  テンプル芯材
２１０  第１変形部
２２０  第２変形部
２３０  第２丁番部分
２４０  芯
【図１】
2020008654.tif 000003
【図２】
2020008654.tif 000004
【図３】
2020008654.tif 000005
【図４】
2020008654.tif 000006
【図５】
2020008654.tif 000007
【図６】
2020008654.tif 000008
【図７】
2020008654.tif 000009
【図８】
2020008654.tif 000010
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
フロントと、
前記フロントに連結し、当該フロントと挟む角度が最も小さい折畳位置から当該フロントと挟む角度が最も大きい開き位置までの範囲において回転可能なテンプルと、
を備え、
前記テンプルまたは前記フロントに、当該フロントまたは／および当該テンプルの姿勢を調整する一つの部材が設けられており、
前記一つの部材は、少なくとも一つの第１変形部および少なくとも一つの第２変形部を有し、
前記少なくとも一つの第１変形部は、板状をなしており、前記フロントの上下方向に対応する第１方向を板厚方向とし、前記第１方向に変形することで前記姿勢を調整し、
前記少なくとも一つの第２変形部は、板状をなしており、前記フロントの左右方向に対応し、前記第１方向と異なる第２方向を板厚方向とし、前記第２方向に変形することで前記姿勢を調整する
ことを特徴とするアイウエア。
【請求項２】
前記少なくとも一つの第１変形部は、前記第１方向に塑性変形することによって前記姿勢を調整し、
前記少なくとも一つの第２変形部は、前記第２方向に弾性変形することによって前記姿勢を調整することを特徴とする請求項１に記載のアイウエア。
【請求項３】
前記第１方向は、前記第２方向に対して垂直な方向であり、
前記少なくとも一つの第１変形部および前記少なくとも一つの第２変形部は、それぞれの長手方向に並べるように形成されたことを特徴とする請求項１または２に記載のアイウエア。
【請求項４】
前記少なくとも一つの第１変形部は、前記少なくとも一つの第２変形部よりも前記テンプルの回転中心側に形成されていることを特徴とする請求項３に記載のアイウエア。
【請求項５】
前記少なくとも一つの第２変形部は、バネ部材であり、当該バネ部材が弾性変形することにより前記テンプルが前記開き位置に位置する際の開き角度を大きくすることを特徴とする請求項２乃至４の何れか１項に記載のアイウエア。
【請求項６】
前記少なくとも一つの第１変形部および前記少なくとも一つの第２変形部は、少なくとも一種類の金属によって形成されていることを特徴とする請求項５に記載のアイウエア。
【請求項７】
前記テンプルおよび前記フロントを連結する丁番をさらに有し、
前記丁番の前記テンプル側の丁番部分は、前記少なくとも一つの第１変形部および前記少なくとも一つの第２変形部と一体に形成されていることを特徴とする請求項６に記載のアイウエア。
【請求項８】
前記少なくとも一つの第１変形部および前記少なくとも一つの第２変形部は、前記テンプルに設けられていることを特徴とする請求項７に記載のアイウエア。
【請求項９】
前記少なくとも一つの第１変形部および前記少なくとも一つの第２変形部は、前記テンプルと一体に、かつ前記テンプルの端部に形成されていることを特徴とする請求項８に記載のアイウエア。
【請求項１０】
フロントを備えるアイウエアに使用されるテンプルであって、
前記テンプルを前記アイウエアに取り付けた場合の前記フロントの上下方向に対応する第１方向と、前記フロントの左右方向に対応する第２方向との、異なる二つの方向に当該テンプルの姿勢を調整する一つの部材を備え、
前記一つの部材は、少なくとも一つの第１変形部および少なくとも一つの第２変形部を有し、
前記少なくとも一つの第１変形部は、板状をなしており、前記第１方向を板厚方向とし、前記第１方向に変形することで前記姿勢を調整し、
前記少なくとも一つの第２変形部は、板状をなしており、前記第２方向を板厚方向とし、前記第２方向に変形することで前記姿勢を調整する
ことを特徴とするテンプル。
【請求項１１】
前記第１方向への前記少なくとも一つの第１変形部の変形は塑性変形であり、
前記第２方向への前記少なくとも一つの第２変形部の変形は弾性変形であることを特徴とする請求項１０に記載のテンプル。
【請求項１２】
前記第１方向は、前記第２方向に対して垂直な方向であり、
前記少なくとも一つの第１変形部および前記少なくとも一つの第２変形部は、前記テンプルの長手方向の一端側に、かつそれぞれの長手方向に並べるように形成されていることを特徴とする請求項１１に記載のテンプル。
【請求項１３】
前記少なくとも一つの第１変形部は、前記少なくとも一つの第２変形部よりも前記テンプルの端部の近くに形成されていることを特徴とする請求項１２に記載のテンプル。
【請求項１４】
前記少なくとも一つの第１変形部はおよび前記少なくとも一つの第２変形部と一体に形成され、かつ、当該前記少なくとも一つの第１変形部よりも前記長手方向の前記一端側に形成されている連結部をさらに有することを特徴とする請求項１３に記載のテンプル。
【手続補正２】
【補正対象書類名】明細書
【補正対象項目名】００７８
【補正方法】変更
【補正の内容】
【００７８】
なお、上述した耳の位置Ｂ、Ｃのような、第１変形部による調整が必要な場合において、第１変形部２１０は塑性変形するため、テンプル１８０は、変形後の形状を維持することができる。よって、メガネ１００を着用する度に、上下方向に調整を行う必要がなくなり、着用性が向上される。
また、本実施の形態では、第１変形部２１０がフロント１４０側に配置されているため、第１変形部２１０がモダン１６０（図１参照）側に配置されている場合に比べて、第１変形部２１０の小さな変形により、テンプル１８０の耳に掛ける側を大きく移動させることができる。よって、様々な位置にある耳に柔軟に対応することができ、広い範囲で調整対応することができる。